(57)【要約】【課題】三次元的に曲がっているインレットの形状に沿って計測用のチューブを簡単に曲げて挿入したり、引き抜けるレベルゲージを提供する。【解決手段】ウオッシャタンク１に設けられたインレット７の注入口９に着脱自在に嵌合され、上部に空気抜き孔１２ａを有するつまみ部１２が設けられ、下部につまみ部１２の空気抜き孔１２ａと連通する管部１３が設けられたキャップ１１と、このキャップ１１の管部１３に基部１４ａが連結され、インレット７から上記タンク１内のウオッシャ液Ｗ中に挿入されるチューブ１４とを備え、つまみ部１２の空気抜き孔１２ａを塞いだ状態でチューブ１４をインレット７から引き抜いた際に、該チューブ１４内に残留したウオッシャ液Ｗの量から上記タンク１内のウオッシャ液Ｗの貯留量を計るレベルゲージ１０において、チューブ１４外周にコイルスプリング１５をストッパ１６により抜け止めして装着した。【選択図】　　　図１
2004074905.tif 000002
【特許請求の範囲】
【請求項１】
ウオッシャタンクに設けられたインレットの注入口に着脱自在に嵌合され、上部に空気抜き孔を有するつまみ部が設けられるとともに下部に前記つまみ部の空気抜き孔と連通する管部が設けられたキャップと、
前記キャップの管部に基部が連結され、前記インレットから前記ウオッシャタンク内のウオッシャ液の中に挿入されるチューブとを備え、
前記つまみ部の空気抜き孔を塞いだ状態で前記チューブを前記ウオッシャタンク及びインレットから引き抜いた際に、該チューブ内に前記ウオッシャ液を残留させるようにしたウオッシャタンク用レベルゲージにおいて、
前記チューブの外周にコイルスプリングを装着し、このコイルスプリングを前記チューブの先端部に嵌合されるストッパで抜け止めしたことを特徴とするウオッシャタンク用レベルゲージ。
【発明の詳細な説明】
【０００１】
【発明の属する技術分野】
本発明は、車輌のウインドシールドガラスを洗浄するためのウオッシャ液を貯留するウオッシャタンク内の該ウオッシャ液の貯留量（残量）を計るウオッシャタンク用レベルゲージに関する。
【０００２】
【従来の技術】
従来のウオッシャタンク用レベルゲージは、ウオッシャタンクに設けられたインレットの注入口に嵌合自在にされ、上部に空気抜き孔を有するつまみ部を設けたキャップと、このキャップの下部に前記つまみ部の空気抜き孔と連通するように設けられた円筒状の管部に連結され、前記インレットから前記ウオッシャタンク内のウオッシャ液の中に挿入される塩化ビニル樹脂製でストレートなチューブとで構成されていた。
【０００３】
そして、片手でキャップのつまみ部をつまむと共に、該つまみ部の空気抜き孔を塞いだ状態でチューブをウオッシャタンク及びインレットから引き抜き、該チューブ内に大気の圧力に押されて残留したウオッシャ液の量からウオッシャタンク内のウオッシャ液の残量の有無を確認していた。
【０００４】
【発明が解決しようとする課題】
しかしながら、前記従来のウオッシャタンク用レベルゲージでは、ウオッシャ液を注入するインレットがクランク状でしかも三次元的に曲がっている場合に、このインレットの内壁と塩化ビニル樹脂製でストレートなチューブとのすべり抵抗が大きいため、チューブをインレットからウオッシャタンク内に挿入したり、引き抜くことが難しく、ウオッシャタンク内のウオッシャ液の残量を確認することが困難であった。
【０００５】
そこで、本発明は、前記した課題を解決すべくなされたものであり、三次元的に曲がっているインレットを有したウオッシャタンクにおいてもレベルゲージ用のチューブを該インレットの形状に沿って簡単に曲げて挿入したり、引き抜くことができるウオッシャタンク用レベルゲージを提供することを目的とする。
【０００６】
【課題を解決するための手段】
請求項１の発明は、ウオッシャタンクに設けられたインレットの注入口に着脱自在に嵌合され、上部に空気抜き孔を有するつまみ部が設けられるとともに下部に前記つまみ部の空気抜き孔と連通する管部が設けられたキャップと、前記キャップの管部に基部が連結され、前記インレットから前記ウオッシャタンク内のウオッシャ液の中に挿入されるチューブとを備え、前記つまみ部の空気抜き孔を塞いだ状態で前記チューブを前記ウオッシャタンク及びインレットから引き抜いた際に、該チューブ内に前記ウオッシャ液を残留させるようにしたウオッシャタンク用レベルゲージにおいて、前記チューブの外周にコイルスプリングを装着し、このコイルスプリングを前記チューブの先端部に嵌合されるストッパで抜け止めしたことを特徴とする。
【０００７】
このウオッシャタンク用レベルゲージでは、三次元的に曲がっているインレットを有したウオッシャタンクでも該インレットの形状に沿ってチューブがコイルスプリングを介して簡単に曲がる。インレットの内壁に対するコイルスプリングのすべり抵抗は小さいので、チューブがコイルスプリングを介して三次元的に曲がったインレットからウオッシャタンク内に簡単に挿入されたり、引き抜かれるため、ウオッシャタンク内のウオッシャ液の貯留量が簡単に計測される。
【０００８】
【発明の実施の形態】
以下、本発明の一実施形態を図面に基づいて説明する。
【０００９】
図１は　本発明の一実施形態のウオッシャタンクを一部断面等で示す正面図、図２は同ウオッシャタンクの平面図、図３は同ウオッシャタンクに用いられるレベルゲージの側面図、図４は同レベルゲージのキャップの側面図である。
【００１０】
図１，図２に示すように、ウオッシャタンク１は、上面開口部の外周に鍔部２ａを有した合成樹脂製で箱形の下タンク２と、下面開口部の外周に鍔部３ａを有し、この鍔部３ａを下タンク２の上面開口部の外周の鍔部２ａに密接させて内部にウオッシャ液Ｗの貯留槽を形成する合成樹脂製で箱形の上タンク３とで構成されている。この下タンク２の側面には車輌取付用のブラケット４を一体突出形成してある。また、上タンク３の上面には車輌取付用のブラケット５を一体突出形成してあると共に、円筒状のインレット取付部６を一体突出形成してある。
【００１１】
図１，図２に示すように、上タンク３のインレット取付部６には、クランク状（平面略Ｌ字状で正面略Ｚ字状）で三次元的に曲がっている軟質樹脂製で円筒状のインレット７の基端部８を嵌合自在に取り付けてある。このインレット７の先端側がウオッシャ液Ｗを注入する注入口９になっている。
【００１２】
図１〜図３に示すように、ウオッシャタンク１内のウオッシャ液Ｗの貯留量を計るウオッシャタンク用レベルゲージ１０は、インレット７の注入口９に着脱自在に嵌合され、円板状の平坦部１１ａの表面（上部）１１ｂの中央に一対の空気抜き孔１２ａ，１２ａを有するつまみ部１２と、平坦部１１ａの裏面（下部）１１ｃの中央につまみ部１２の各空気抜き孔１２ａと連通するように一体突出形成された円筒状の管部１３とが設けられた合成樹脂製のキャップ１１と、この管部１３に基部１４ａが連結され、インレット７からウオッシャタンク１内のウオッシャ液Ｗの中に挿入される透明又は半透明な塩化ビニル樹脂製でストレートのチューブ１４と、このチューブ１４の外周に装着されたコイルスプリング１５と、上記チューブ１４の先端部１４ｂに嵌合され、コイルスプリング１５のチューブ１４からの抜けを防ぐストッパ１６とを備えている。
【００１３】
図１〜図４に示すように、キャップ１１のつまみ部１２は上端が閉塞された側面台形の筒状に形成してあり、この両側面の中央に外気連通用の空気抜き孔１２ａをそれぞれ形成してある。また、このつまみ部１２の下端開口部は平坦部１１ａを介して円筒状の管部１３の上面開口部と連通するように形成してあり、該平坦部１１ａの裏面１１ｃには管部１３を囲むように一対の半円筒部１１ｄ，１１ｄをそれぞれ一体突出形成してある。この一対の半円筒部１１ｄ，１１ｄはインレット７の注入口９内に嵌合・離脱自在になっている。また、管部１３は一対の半円筒部１１ｄ，１１ｄより下方に突出するように長く形成してある。
【００１４】
図１，図３に示すように、コイルスプリング１５のチューブ１４からの抜けを防ぐストッパ１６は、硬質の合成樹脂で成形され、チューブ１４の先端部１４ｂに嵌め込まれる先端側が円錐筒状の嵌合部１６ａと、この嵌合部１６ａに一体形成された球状の基部１６ｂとを備えている。これら嵌合部１６ａと基部１６ｂの中央には上下に延びて貫通する円形の通気孔１６ｃを形成してある。
【００１５】
尚、図１に示すように、キャップ１１をインレット７の注入口９内に嵌合した際に、該注入口９はキャップ１１の平坦部１１ａにより完全に覆われるようになっている。また、図２に示すように、キャップ１１の平坦部１１ａの管部１３と半円筒部１１ｄの間には外気連通用の空気抜き孔１１ｅを形成してある。
【００１６】
以上実施形態のウオッシャタンク用レベルゲージ１０によれば、ウオッシャタンク１内にウオッシャ液Ｗを注入する場合には、片手でキャップ１１のつまみ部１２をつまんでインレット７の注入口９からキャップ１１を取り外し、インレット７の注入口９からウオッシャ液Ｗを注入してウオッシャタンク１内にウオッシャ液Ｗを供給する。
【００１７】
このウオッシャ液Ｗの供給終了後、片手でキャップ１１のつまみ部１２をつまんでインレット７の注入口９から長尺のチューブ１４をコイルスプリング１５を介して挿入する。そして、チューブ１４をコイルスプリング１５を介してインレット７からウオッシャタンク１内の底面側まで完全に挿入した後で、キャップ１１の一対の半円筒部１１ｄ，１１ｄをインレット７の注入口９内に嵌合してインレット７の注入口９をキャップ１１により完全に覆う。
【００１８】
また、ウオッシャタンク１内のウオッシャ液Ｗの貯留量を計る場合には、片手でキャップ１１のつまみ部１２をつまむと共に、該つまみ部１２の一対の空気抜き孔１２ａ，１２ａを塞いだ状態でキャップ１１をインレット７の注入口９から抜いて外すと共に、長尺のチューブ１４をコイルスプリング１５を介してウオッシャタンク１及びインレット７から引き抜く。この時、大気の圧力に押されてチューブ１４内に残留したウオッシャ液Ｗの量からウオッシャタンク１内のウオッシャ液Ｗの残量の有無が確認される。
【００１９】
このように、ウオッシャタンク１内のウオッシャ液Ｗの貯留量を計るチューブ１４の外周にコイルスプリング１５を装着し、このコイルスプリング１５をチューブ１４の先端部１４ｂに嵌合したストッパ１６により抜け止めしたので、クランク状で三次元的に曲がっているインレット７を有したウオッシャタンク１でも該インレット７の形状に沿ってチューブ１４を該チューブ１４の外周に装着されたコイルスプリング１５を介して簡単に曲げることができ、インレット７の内壁に対するチューブ１４のすべり抵抗をコイルスプリング１５を介して小さくすることができる。これにより、チューブ１４をクランク状で三次元的に曲がったインレット７からウオッシャタンク１内に簡単に挿入したり、引き抜くことができ、ウオッシャタンク１内のウオッシャ液Ｗの貯留量を透明又は半透明でストレートのチューブ１４により簡単に計ってウオッシャタンク１内のウオッシャ液Ｗの残量の有無を簡単に確認することができる。
【００２０】
尚、前記実施形態によれば、チューブ内のウオッシャ液の量によりウオッシャタンク内のウオッシャ液の貯留量（残量）を確認するようにしたが、チューブに目盛り等を付してウオッシャタンク内のウオッシャ液の貯留量値を正確に計ることができるようにして良い。
【００２１】
【発明の効果】
以上説明したように、請求項１の発明によれば、ウオッシャ液の貯留量を計るチューブの外周にコイルスプリングを装着し、このコイルスプリングをチューブの先端部に嵌合されるストッパで抜け止めしたので、三次元的に曲がっているインレットを有したウオッシャタンクでも該インレットの形状に沿ってチューブをコイルスプリングを介して簡単に曲げることができ、インレットの内壁に対するチューブのすべり抵抗をコイルスプリングを介して小さくすることができる。これにより、チューブをコイルスプリングを介して三次元的に曲がったインレットからウオッシャタンク内に簡単に挿入したり、引き抜くことができ、ウオッシャタンク内のウオッシャ液の貯留量を簡単に計ることができる。
【図面の簡単な説明】
【図１】本発明の一実施形態のウオッシャタンクを一部断面等で示す正面図である。
【図２】上記ウオッシャタンクの平面図である。
【図３】上記ウオッシャタンクに用いられるレベルゲージの側面図である。
【図４】
上記レベルゲージのキャップの側面図である。
【符号の説明】
１　ウオッシャタンク
７　インレット
９　注入口
１０　ウオッシャタンク用レベルゲージ
１１　キャップ
１１ｂ　表面（上部）
１１ｃ　裏面（下部）
１２　つまみ部
１２ａ　空気抜き孔
１３　管部
１４　チューブ
１４ａ　基部
１４ｂ　先端部
１５　コイルスプリング
１６　ストッパ
Ｗ　ウオッシャ液
【図１】
2004074905.tif 000003
【図２】
2004074905.tif 000004
【図３】
2004074905.tif 000005
【図４】
2004074905.tif 000006